(57)【要約】【課題】を洗面所、脱衣所あるいはトイレなどの床面積の小さい小部屋の壁面に、外観を損なうことなく取付けられ、一体型で据付け手間がかからず保守が容易であり、必要な空調効果を確保する空気調和機を提供する。【解決手段】筐体２内部に、圧縮機９、蒸発器１０、凝縮器１１等の冷凍サイクル構成部品一式と、送風機１２を収容する一体型の空気調和機であり、上記筐体は、洗面所や脱衣所あるいはトイレなど床面積の小さい小部屋の壁面上部に取付け可能な寸法形状をなし、筐体内部を左右両側に並んで第１のユニット体４と第２のユニット体５に区画形成し、第１のユニット体内に圧縮機を収容し、第２のユニット体内に蒸発器と凝縮器および送風機を収容する。【選択図】　　図１
2004116867.tif 000002
【特許請求の範囲】
【請求項１】
筐体内部に、圧縮機、蒸発器および凝縮器等の冷凍サイクル構成部品一式と、室内空気を吸込んで上記蒸発器に導き再び室内に送風する送風機を収容する一体型の空気調和機であり、
上記筐体は、洗面所や脱衣所あるいはトイレなど床面積の小さい小部屋の壁面上部に取付け可能な寸法形状をなし、
さらに、筐体内部は左右両側に並んで、第１のユニット体と第２のユニット体とに区画形成され、
上記第１のユニット体内に上記圧縮機が収容され、
上記第２のユニット体内に上記蒸発器と凝縮器および送風機が収容されることを特徴とする空気調和機。
【請求項２】
上記筐体は、上記圧縮機が収容される第１のユニット体と、上記蒸発器と凝縮器および送風機が収容される上記第２のユニット体とに分割可能としたことを特徴とする請求項１記載の空気調和機。
【請求項３】
上記第１のユニット体を、上記第２のユニット体から分離して別位置に配置し、上記第２のユニット体に隣接して、別機能をなす部品を搭載したユニット体を配置したことを特徴とする請求項２記載の空気調和機。
【請求項４】
筐体内部に、圧縮機、蒸発器および凝縮器等の冷凍サイクル構成部品一式と、室内空気を吸込んで上記蒸発器に導き再び室内に送風する送風機が収容される一体型の空気調和機であり、
上記筐体は、洗面所や脱衣所あるいはトイレなど床面積の小さい小部屋に配置可能なラックの上部に取付けられることを特徴とする空気調和機。
【発明の詳細な説明】
【０００１】
【発明の属する技術分野】
本発明は、床面積の小さい小部屋に取付けられ、本体内に冷凍サイクル構成部品一式を収容する一体型の空気調和機に関する。
【０００２】
【従来の技術】
従来から用いられる一体型空気調和機として、いわゆるウインド型空気調和機や床置き型空気調和機がある。ウインド型空気調和機の場合、本体内部は仕切板を介して機械室と熱交換室に区画され、熱交換室が室内側、機械室が室外側になるよう取付けられる。
熱交換室に吸込み口と吹出し口が開口され、蒸発器と送風機が配置される。機械室に外気吸込み口と吐出口が開口され、圧縮機と凝縮器および送風機が配置される。
【０００３】
このような一体型空気調和機であれば、室内機と室外機とに分かれる分離型空気調和機と比較して、据付け作業が比較的簡単で手間がかからず据付けスペースが少なくてすむ。配管や配線が不要で部品費が低減され、メンテナンス作業が容易となるなど種々の長所がある。
その反面、多種類の窓の規格に合う多種類の窓枠用取付け部材を用意する必要があり、管理が煩雑になる。窓の開口部を大幅に閉鎖するので、採光面積が減小して環境的に好ましくない。アルミサッシなどの窓枠構造に空気調和機の重量を支持させるので、建築構造物に悪影響を与えてしまう。
【０００４】
【発明が解決しようとする課題】
一方、たとえば洗面所、脱衣所あるいはトイレなどの床面積の小さい小部屋を対象として、小型で必要な運転時間は短時間であるが、スポット的に確実な空調運転をなす空気調和機が要望されている。
そこで、利用側熱交換器と作動側熱交換器を、隔壁で区画された筐体内の二つの空間のいずれか一方の空間前面側に配置し、各熱交換器を室内空気と熱交換させることを特徴とする空気調和機が提供されるに至った。（たとえば、特許文献１参照）
【０００５】
【特許文献１】
特開２００１−９９４４４号公報（特許請求の範囲　請求項１参照）
上記した一体型空気調和機は、洗面所、脱衣所あるいはトイレなどの床面積の小さい小部屋の壁面に取付けることができ、必要な据付けスペースが小さくてすみ、かつスポット的な空調運転を行える、とある。
【０００６】
しかしながら、筐体内に形成される二つの空間は、隔壁によって上下に区画されていて、それぞれに熱交換器を配置するところから、筐体の上下方向寸法が高く縦長形状になってしまう。
その一方で、上記小部屋における天井高さがほとんど規格化され一定であるので、たとえ壁面上部に取付けられたとしても、筐体が下部側まできて外観が損なわれ圧迫感を与えてしまう。身長が高い人によっては、頭部あるいは顔面が筐体に接触する虞れがある。
【０００７】
また、圧縮機は二つの空間の側方部位に配置されるが、圧縮機の収容室と二つの空間との間に仕切り部材が存在することは不明である。圧縮機は作動にともなって放熱することは周知であり、この熱が利用側熱交換器と熱交換した空気に混合して熱交換効率を低下させることは容易に考えられる。
さらに、上記筐体は完全一体物であって、分割化を可能とする構成になっていない。すなわち、たとえば洗面所や脱衣所など床面に比較的空きスペースがある反面、壁面には化粧鏡や吊り戸棚など既設の設備物が取付けられて余裕のない場合があり、上記筐体を分割化できれば都合がよい。
【０００８】
本発明は上記事情に着目してなされたものであり、その目的とするところは、洗面所、脱衣所あるいはトイレなどの床面積の小さい小部屋の壁面に、外観を損なうことなく取付けられ、一体型で据付け手間がかからず保守が容易であり、必要な空調効果を確保する空気調和機を提供しようとするものである。
【０００９】
【課題を解決するための手段】
上記課題を解決し目的を達成するために本発明は、筐体内部に、圧縮機、蒸発器、凝縮器等の冷凍サイクル構成部品一式と、室内空気を蒸発器に送風して室内へ吹出す送風機を収容する一体型の空気調和機であり、
上記筐体は、洗面所や脱衣所あるいはトイレなど床面積の小さい小部屋の壁面上部に取付け可能な寸法形状をなし、筐体内部を左右両側に並んで第１のユニット体と第２のユニット体とに区画形成し、第１のユニット体内に圧縮機を収容し、第２のユニット体内に蒸発器と凝縮器および送風機を収容する。
【００１０】
このような課題を解決する手段を採用することにより、筐体を床面積の狭い小部屋の狭い壁面に、外観を損なわず圧迫感を与えずに取付けられ、一体型であって据付け手間がかからず保守が容易であり、必要な空調効果を確保する。
【００１１】
また、上記筐体は、圧縮機を収容する第２のユニット体と、蒸発器と凝縮器および送風機を収容する第２のユニット体とに分割可能とする。
また、上記第１のユニット体を第２のユニット体から分離して別位置に配置し、第２のユニット体に隣接して別機能をなす部品を搭載したユニット体を配置すれる。
また、筐体内部に、縮機、蒸発器、凝縮器等の冷凍サイクル構成部品一式と、室内空気を蒸発器に送風して室内へ吹出す送風機を収容する一体型の空気調和機であり、筐体を洗面所や脱衣所あるいはトイレなど床面積の小さい小部屋に配置可能なラックの上部に取付けた。
【００１２】
【発明の実施の形態】
以下、本発明の実施の形態を図面にもとづいて説明する。
図１は一部を欠落し内部を露出して示す簡易一体型の空気調和機の斜視図、図２は空気調和機における所定部位（第２のユニット体）の縦断面図である。
この種の簡易一体型空気調和機は、たとえば洗面所、脱衣所あるいはトイレなどの、床面積の小さい小部屋Ｒを取付け対象とすることが最も目的にかなっている。空気調和機は、小部屋Ｒの壁面Ｓ上部に取付けられる据付け板１と、空気調和機本体２とから構成される。
【００１３】
上記据付け板１は、単純な平板状をなし、周端部が取付けねじなどの取付け具を介して壁面Ｓに取付けられる。上記空気調和機本体２は、その背面部ａが適宜な手段によって上記据付け板１に取付けられる。
空気調和機本体２は、上面部ｂから前面部ｃに亘って断面ほぼ円弧状をなし、両側面部ｄと下面部ｅおよび背面部ａは平板状に形成される筐体からなっている。したがって、これ以降、空気調和機本体を筐体２と呼ぶ。
【００１４】
筐体２内部は仕切板３によって左右に仕切られている。この仕切板３は筐体２内の正面視における左側部寄りの位置にあって、仕切板３の左側筐体２内空間を第１のユニット体４とし、仕切板３の右側筐体２内空間を第２のユニット体５としている。
すなわち、第１のユニット体４と第２のユニット体５は、筐体２内部に左右に並んで区画形成されていて、第１のユニット体４の空間容量に対して第２のユニット体５の空間容量は３〜４倍になるよう設計されている。
【００１５】
第１のユニット体４の筐体２周面には開口部が設けられておらず、ほぼ密閉構造となっている。一方、第２のユニット体５に対応する筐体２の上面部ｂには放熱口６が設けられ、前面部ｃには吸込み口７が設けられ、下面部ｅには吹出し口８が設けられる。
上記第１のユニット体４内部には、冷凍サイクルを構成する圧縮機９と図示しない膨張弁などが配置される。したがって、これら圧縮機９および膨張弁はほぼ密閉された空間部に収容されることになる。
【００１６】
上記第２のユニット体５内部には、上記圧縮機９とともに冷凍サイクルを構成する蒸発器１０と凝縮器１１が、後述するようにして前後に対向する状態で配置され、これら相互間には送風機１２が配置される。そして、蒸発器１０と送風機１２の側方部位に電気部品箱１３が配置される。
上記蒸発器１０と凝縮器１１は側面視で略Ｖ字状に組み合わされている。蒸発器１０は前面側に配置され、側面視で湾曲成している。凝縮器１１は直状をなし、斜めに傾いているうえに上下二段に重ねられる。
【００１７】
第２のユニット体５内部における蒸発器１０と凝縮器１１との相互間に亘って補助仕切板１５が介設されていて、蒸発器１０と凝縮器１１とは互いに熱的に遮断される。
したがって、筐体２の上面部ｂに開口する放熱口６に凝縮器１１が対向して配置され、前面部ｃの吸込み口７に蒸発器１０が対向して配置されることになる。また、上記送風機１２は蒸発器１０の背面側に配置されていて、上記吹出し口８に送風機１２が対向している。
【００１８】
上記送風機１２は、ファンモータと、このファンモータの回転軸に取付けられるファンとの組み合わせからなり、ファンは通常、横流ファンが用いられる。横流ファンの軸方向長さは蒸発器１０の幅方向寸法と略同一であって互いに正対しており、上記ファンモータは蒸発器の側端面から突出した位置にある。
上記電気部品箱１３内には、上記圧縮機９や送風機１２などを制御する電気部品や、図示しないリモコンからの信号を受けて必要な制御をなす電気部品および電気回路などが収容される。
【００１９】
上記送風機１２が駆動されれば、吸込み口７から室内空気が第２のユニット体５内に吸込まれ、蒸発器１０に導かれて流通し吹出し口８から吹出される送風路Ｋが形成される。
上記凝縮器１１は補助仕切板１５によって区画される外側に位置するので、送風機１２を駆動することによって形成される送風路Ｋとは全く関わり合いがない。上記電気部品箱１３は蒸発器１０の側方部位にあるので、上記送風路Ｋに導かれる風の一部にさらされる。
【００２０】
このようにして筐体２内に全ての構成部品が収容される一体型空気調和機であって、図示しない運転スイッチをオンすることにより圧縮機９が駆動され、冷媒が凝縮器１１と膨張弁から蒸発器１０の順に循環する冷凍サイクル運転がなされる。
同時に送風機１２が駆動され、送風路Ｋに沿って室内空気が導かれる。室内空気は蒸発器１０に導かれて熱交換し、冷媒の蒸発潜熱を奪われて温度低下して冷気に換わる。この冷気は吹出し口８から吹出され、筐体２の下方部位とその周辺部をスポット的に冷房する。
【００２１】
上記電気部品箱１３は送風路Ｋの側部に配置されていているので、送風路に導かれる一部の風にさらされる。したがって、電気部品箱１３に通気孔を設けておけば、風が通気孔を介して箱内部に導かれ、ここに収容される電気部品は確実に冷却される。
冷凍サイクル運転にともなって圧縮機９がある程度放熱することは避けられない。しかしながら、圧縮機９はほぼ密閉された第１のユニット体５内に収容されており、しかも通常用いられる空気調和機と比較して運転時間が短いので、筐体２から外部への熱的悪影響がない。
【００２２】
また、冷凍サイクル運転にともない凝縮器１１において凝縮熱を放熱するが、この凝縮器は補助仕切板１５により送風路Ｋの区画外に配置されているので、送風路中への凝縮熱の放熱がなく冷気の温度上昇が抑制される。
しかも、筐体２の上部ｂに放熱口６を備え凝縮熱を筐体外部へ放出案内するので、筐体２内の温度上昇が抑制される。また、筐体２は壁面Ｓ上部に取付けられるので、圧縮機９や凝縮器１１から筐体２外へある程度の放熱があっても、これらの熱は天井部に溜まり、冷房効果が損なわれることはない。
【００２３】
上記空気調和機を配置するのに最適な洗面所や脱衣所あるいはトイレなどの床面積の小さい小部屋Ｒは、壁面Ｓ上部に換気扇が取付けられることが多い。この場合、換気扇の下部に空気調和機を取付ければ、圧縮機９や凝縮器１１から放熱があっても直ちに排気され、室内への熱的影響はない。
図３は、上述した一体型空気調和機ＭをトイレＴＲの壁面Ｓ上部に取付けた状態を模式的に示す斜視図である。
【００２４】
この場合、トイレＴＲの中に人が入ったことを筐体２に設けられるセンサーが感知して冷凍サイクル運転を開始するとともに、上記送風機１２の駆動をなし、トイレの中にいる人に対してスポット的な空調運転を行うようにする。
トイレから人が出たら、上記センサーは再びこれを感知して冷凍サイクル運転と送風機１２を停止する制御をなせば、すこぶる使い勝手がよく、快適な空調作用が得られ、しかも省エネ的な運転となる。
【００２５】
なお、一体型空気調和機ＭをトイレＴＲに取付けることとして説明しているが、洗面所や脱衣所などの床面積の小さい小部屋に取付けるのにも最適である。いずれにしても、小部屋にいる人に集中して冷房作用を行え、併せて、洗面所では化粧鏡の曇り止めをなし、脱衣所では湿気の除去に効果がある。
なお、何らかの理由により、小部屋Ｒの壁面Ｓ上部に一体型空気調和機Ｍの取付けスペースを確保できないが、第２のユニット体５のみであれば壁面上部に取付けられる場合がある。このような条件に最適な一体型空気調和機を以下に説明する。
【００２６】
図４は、第２の実施の形態の一体型空気調和機を示している。
先に図１で説明した一体型空気調和機と基本的に同一構成をなしているが、筐体２Ａは、第１のユニット体４Ａと第２のユニット体５Ａとが互いに別体に分割化され、壁面Ｓに対して着脱自在となっている。
【００２７】
したがって、第１のユニット体４Ａに圧縮機９と膨張弁等が収容され、第２のユニット体５Ａに蒸発器１０、凝縮器１１、送風機１２、電気部品箱１３等が収容される。蒸発器１０と凝縮器１２および送風機１２の配置構成は上述したものと全く変りがない。
図５（Ａ）（Ｂ）は、互いに異なる条件に応じて筐体２Ａ構成を変更した状態を示している。
【００２８】
図５（Ａ）は、小部屋Ｒａの壁面Ｓａに筐体２Ａ全体を取付けるスペースはないが、第２のユニット体５Ａのみの取付けスペースを確保でき、しかも床面にも多少の配置用スペースが存在する場合である。
そこで、第２のユニット体５Ａを小部屋Ｒａの壁面Ｓａ上部に取付け、第１のユニット体４Ａは取外して床置きとする。当然、第１のユニット体４Ａと第２のユニット体５Ａとを接続する配管・配線が必要となる。
【００２９】
少なくとも第２のユニット体５Ａを壁面Ｓａ上部に取付けているので、先に説明した実施の形態と全く同様、ここから小部屋Ｒａにいる人に対してスポット的に冷気の吹出しができ、必要な空調効果を得られる。
図５（Ｂ）は、小部屋Ｒの壁面Ｓ上部に筐体２を取付けるスペースはあるが、床面にもある程度の配置用スペースを確保できる場合であって、さらに多機能を求める要求がある。
【００３０】
この場合、第２のユニット体５Ａを小部屋Ｒの壁面Ｓ上部に取付け、第１のユニット体４Ａは取外して床置きとする。当然、第１のユニット体４Ａと第２のユニット体５Ａとを接続する配管・配線が必要となる。
第１のユニット体４Ａに代わって、別機能部品を収容するユニット体２０を第２のユニット体５Ａに隣接して取付ける。別機能部品を収容するユニット体２０として、たとえば換気扇ユニットがあり、加湿ユニットがあり、あるいはヒーターユニットがある。
【００３１】
このようにして、第２のユニット体５Ａを壁面Ｓ上部に取付けているので、スポット的に冷気の吹出しをなし必要な空調効果を得られる。別機能として、小部屋Ｒに篭る匂いを排出する換気をなし、小部屋の乾燥を防ぐ加湿をなし、あるいは小部屋の暖房を行えて、空気調和機としての機能の拡張化を図れる。
小部屋Ｒによっては壁面上部に筐体を取付けるスペースが全くない場合がある。このような条件に最適な一体型空気調和機を以下に説明する。
図６は、第３の実施の形態の一体型空気調和機Ｍの斜視図である。
筐体２および筐体内部の部品配置構成は、先に図１で説明した一体型空気調和機と基本的に同一構成をなしているので、ここでは新たな説明は省略する。
【００３２】
空気調和機Ｍの付属品として、専用ラック３０を備えたことに特徴がある。上記専用ラック３０は、たとえば金属管もしくは剛性の大なる合成樹脂材からなる管体を折曲形成した枠状部材である。
この専用ラック３０は、小部屋Ｒに収容可能な幅寸法と高さ寸法に設計され、かつ安定性を良くするために左右一対の据付け用脚部３０ａを備え、床面Ｙ上に配置される。この据付け用脚部３０ａから小部屋の壁面Ｓに沿うよう垂直上方部に一体に折曲される一対の垂直枠部３０ｂを備えている。
【００３３】
垂直枠部３０ｂ相互の下端部に補強用枠部３０ｃが掛け渡され、かつ垂直枠部３０ｂ相互の上端部は連結杆３０ｄによって一体に連結されてラック３０が構成される。
このラック３０の上部である連結杆３０ｄと垂直枠部３０ｂ相互に亘って、一体型空気調和機Ｍが適宜な手段で取付け固定される。空気調和機Ｍの上部に放熱口６が開口し、前面部に吸込み口７、下面部に吹出し口が開口することは変りがない。
【００３４】
したがって、壁面Ｓに空気調和機Ｍを取付けすることができない小部屋Ｒであっても、ラック３０の据付け用脚部３０ａを配置するスペースを確保できれば空気調和機を備えることができ、必要な空調作用を得られる。
この他、本発明は要旨を変更しない範囲で種々変形実施可能であることは、勿論である。
【００３５】
【発明の効果】
以上説明したように本発明によれば、洗面所、脱衣所あるいはトイレなどの床面積の小さい小部屋の壁面に、外観を損なうことなく取付けられ、一体型で据付け手間がかからず保守が容易であり、必要な空調効果を確保するなどの効果を奏する。
【図面の簡単な説明】
【図１】本発明の第１の実施の形態に係る、一体型空気調和機の内部を欠落した斜視図。
【図２】同実施の形態に係る、一体型空気調和機の概略の断面図。
【図３】同実施の形態に係る、一体型空気調和機をトイレに取付けた状態の斜視図。
【図４】本発明の第２の実施の形態に係る、一体型空気調和機の構造を説明する正面図。
【図５】同実施の形態に係る、一体型空気調和機の互いに異なる組み合わせを説明する図。
【図６】本発明の第３の実施の形態に係る、一体型空気調和機の構造を説明する斜視図。
【符号の説明】
２…筐体、
９…圧縮機、
１０…蒸発器、
１１…凝縮器、
１２…送風機、
４…第１のユニット体、
５…第２のユニット体、
２０…（別機能の）ユニット体、
３０…専用ラック。
【図１】
2004116867.tif 000003
【図２】
2004116867.tif 000004
【図３】
2004116867.tif 000005
【図４】
2004116867.tif 000006
【図５】
2004116867.tif 000007
【図６】
2004116867.tif 000008